(57)【要約】【課題】金型に干渉することなく、製品を１８０°反転させることが可能なダイカストマシン等の製品を反転させる製品反転装置を提供すること。【解決手段】ダイカストマシン等の製品を反転させる製品反転装置において、エアーシリンダ２２と、エアーシリンダ２２のロッド２３先端に取付けたカムフォローワ２５を設けたスライドブロック２４と、エアーシリンダ２２のロッド側に中間ブロック２６を挟んで取付けたハウジング２７と、ハウジング２７に軸方向に回転可能に支承されるとともに、外周面にスライドブロック２４が摺動自在に嵌着する螺旋状溝３１、３２を設け、エアーシリンダ２２の進退動作によりカムフォローワ２５が螺旋状溝３１、３２内を移動し、０〜１８０°回動される回転軸２８と、回転軸２８の反エアーシリンダ側に取付けた製品３３を把持する把持具３４とを有してなることを特徴とするダイカストマシン等の製品反転装置。【選択図】          図１
2004358532.tif 000002
【特許請求の範囲】
【請求項１】
ダイカストマシン等の製品を金型内から取出し、反転させる製品反転装置において、エアーシリンダと、このエアーシリンダのロッド先端に取付けたカムフォローワを設けたスライドブロックと、前記エアーシリンダのロッド側に中間ブロックを挟んで取付けたハウジングと、中間ブロック内にあり、ハウジングに軸方向に回転可能に支承されるとともに、外周面にカムフォローワを取付けたスライドブロックが摺動自在に嵌着する螺旋状溝を設け、エアーシリンダの進退動作によりカムフォローワが螺旋状溝を移動し、０〜１８０°回動される回転軸と、回転軸の反エアーシリンダ側に取付けた製品を把持する把持具とを有してなることを特徴とするダイカストマシン等の製品反転装置。
【発明の詳細な説明】
【０００１】
【発明の属する技術分野】
本発明はダイカストマシンの金型より成形された製品を取出し、この製品を反転させるための製品反転装置に関する。
【０００２】
【従来の技術】
ダイカストマシンにより成形された製品を取出し、この製品を冷却するため冷却用水槽等に入れるための製品反転装置が周知である。
従来の製品反転装置を図４ないし図６により説明すると、金型１から製品２をダイカストマシン把持具３によりそのビスケット部２ａを把持して取出した後、製品取出し用アーム９によりダイカストマシン外部に取出し、製品２を反転するために把持具３を取付けたロッド４の反把持具側にピニオン５を設け、それに噛合うラック６をエアーシリンダ７により図中上下に移動させることによりピニオン５を回転させ、ロッド４を軸方向に回動させて製品２を図６（イ）から図６（ロ）に示すように９０°反転させ、冷却用水槽８に製品２を漬けるようにしている。
参考文献を特許文献１に示す。
【０００３】
【特許文献１】
特開平１０−１４６７９０号公報
【０００４】
【発明が解決しょうとする課題】
しかしながら、ピニオン５を回転させるためのラック６およびエアーシリンダ７が製品取出し用アーム９に対し直角方向になっているため図中上下方の寸法Ｌが大きくなり、金型１と干渉するおそれがあるという欠点があった。
また製品２の冷却は図６（ハ）のように図６（ロ）の９０°反転状態からさらに９０°反転させた１８０°反転状態にした方がより効果的な冷却が可能であるにもかかわらず、前記寸法Ｌは大きくなるという欠点があった。
【０００５】
本発明の目的は前述のような欠点を取除き、金型１に干渉することなく、製品２を１８０°反転させることが可能な製品反転装置を提供することにある。
【０００６】
【課題を解決するための手段】
前述の目的を達成するため本発明はダイカストマシン等の製品を金型内から取出し、反転させる製品反転装置において、製品取出し用アームの延長方向に設けたエアーシリンダと、このエアーシリンダのロッド先端に取付けたカムフォローワを設けたライドブロックと、エアーシリンダのロッド側に中間ブロックを挟んで取付けたハウジングと、中間ブロック内にあり、ハウジングに軸方向に回転可能に支承されるとともに、外周面にカムフォローワを取付けたスライドブロックが摺動自在に嵌着する螺旋状溝を設け、エアーシリンダの進退動作によりカムフォローワが螺旋状溝を移動し、０〜１８０°回動される回転軸と、回転軸の反エアーシリンダ側に取付けた製品を把持する把持具とを有してなることを特徴とするダイカストマシン等の製品反転装置とした。
【０００７】
これによりダイカストマシン等の金型内から取出された製品は、１８０°回動することが出来、エアーシリンダも製品取出し用アームの延長方向に設けてあるため、金型に干渉することがない。
【０００８】
【発明の実施の形態】
以下本発明の実施の形態を図１ないし図３により説明する。
製品反転装置２０は取出し用アーム２１の延長方向に設けられた二段式エアーシリンダ２２（以下単にエアーシリンダという）と、このエアーシリンダ２２のロッド２３の先端にはスライドブロック２４を設けたカムフォローワ２５が取付けられている。エアーシリンダ２２のロッド側には中間ブロック２６を挟んでハウジング２７が固着されている。
【０００９】
２８は回転軸で、中間ブロック２６内にあり、ハウジング２７に設けた軸受２９、３０により軸方向に回転可能に支承されるるとともに、外周面には前記スライドブロック２４に取付けたカムフォローワ２５が摺動自在に嵌着する回転軸２８が０〜１８０°回動される螺旋状溝３１および３２が設けてあり、エアーシリンダ２２の一段目ロッド２３ａ、および二段目ロッド２３ｂが進退動作することによりカムフォローワ２５が螺旋状溝３１および３２内を移動し、回転軸２８が０〜１８０°回動されるようになっている。回転軸２８の反エアーシリンダ側には製品３３を把持する把持具３４が取付けてある。
【００１０】
製品反転装置２０は以上説明したような構成となっており、次にその作用動作に付いて説明する、金型３５内から把持具３４により製品３３のビスケット部３３ａを把持され、金型キャビテイ内から紙面に対し手前方向に取出された製品３３は、図３（イ）に示すような状態となる。次いでエアーシリンダ２２の一段目ロッドロッド２３が前進（図１中左進する）するとスライドブロック２４が図１中左進し、カムフォローワ２５が螺旋状溝３１および３２内の中間位置まで移動し、回転軸２８が９０°回動し、製品３３は図３（ロ）に示すような状態となる。さらにエアーシリンダ２２の二段目ロッドロッド２３が前進し、カムフォローワ２５が螺旋状溝３１および３２内を終点位置まで移動すると、回転軸２８はさらに１８０°位置まで回動し、製品３３は図３（ハ）に示すような状態となる。
前述のエアーシリンダ２２は二段式エアーシリンダとしたが勿論これに限るものではなく、一段式のエアーシリンダであっても良い。
【００１１】
【発明の効果】
本発明の製品反転装置２０は製品反転用の駆動源であるエアーシリンダ２２が製品取出し用アーム２１の延長方向に設けてあるので、金型と干渉することがなく、かつ製品３３を金型キャビティーからの取出し状態から１８０°反転状態にすることが出来、製品３３の冷却時にビスケット部３３ａを冷却水中に浸すことなく、製品３３のみ有効に冷却が可能となった。
【図面の簡単な説明】
【図１】本発明の１実施形態例を示す製品反転装置の説明図である。
【図２】本発明の１実施形態例を示す製品反転装置の説明図で、図１のＺ矢視図である。
【図３】本発明の製品反転装置の動作による金型キャビテイから取出された製品の状態変化を順に説明した図である。
【図４】従来の製品反転装置の説明図である。
【図５】従来の製品反転装置の説明図で、図４のＹ矢視図である。
【図６】従来の製品反転装置の動作による金型キャビテイから取出された製品の状態変化を順に説明した図である。
【符号の説明】
２０  製品反転装置
２１  製品取出し用アーム
２２  エアーシリンダ
２３  ロッド
２４  スライドブロック
２５  カムホォローワ
２６  中間ブロック
２７  ハウジング
２８  回転軸
２９、３０  軸受
３１、３２  螺旋状溝
３３  製品
３４  把持具
３５  金型
【図１】
2004358532.tif 000003
【図２】
2004358532.tif 000004
【図３】
2004358532.tif 000005
【図４】
2004358532.tif 000006
【図５】
2004358532.tif 000007
【図６】
2004358532.tif 000008